(57)【特許請求の範囲】
【請求項１】
給湯温水を供給する給湯配管経路と、暖房機器である暖房放熱体に暖房循環熱媒を供給する暖房配管経路と、を有し、
暖房循環熱媒を用いて放熱する前記暖房放熱体と、
前記暖房放熱体の暖房運転の運転状態を利用者が設定可能な運転状態設定手段と、
暖房循環熱媒を蓄えることなく給湯温水を蓄える貯湯タンクと、
給湯温水と暖房循環熱媒のそれぞれを燃焼により加熱する燃焼加熱手段を有する燃焼熱源機と、
暖房循環熱媒の熱で給湯温水を加熱する第１の給湯暖房熱交換器と、
電気ヒートポンプにて加熱したヒートポンプ循環熱媒の熱で暖房循環熱媒を加熱するヒートポンプ熱交換器を有するヒートポンプ装置と、を備え、
前記給湯配管経路は、
給水源から供給される上水を前記貯湯タンクに供給する第１の給水経路と、
前記貯湯タンク内に蓄えられている給湯温水を前記貯湯タンクから前記第１の給湯暖房熱交換器を経由させて前記貯湯タンクに戻す給湯循環経路と、
前記貯湯タンク内に蓄えられている給湯温水を前記貯湯タンクから前記燃焼加熱手段を経由させて供給する給湯経路と、にて構成されており、
前記給湯循環経路のいずれかの位置には給湯温水を循環させる給湯循環ポンプが設けられており、
前記暖房配管経路は、
前記暖房放熱体から出力された暖房循環熱媒を前記第１の給湯暖房熱交換器に入力する第１放熱後経路と、前記第１の給湯暖房熱交換器から出力された暖房循環熱媒を前記ヒートポンプ熱交換器に入力する第２放熱後経路と、前記ヒートポンプ熱交換器から出力された暖房循環熱媒を前記燃焼加熱手段に入力する第２加熱後経路と、前記燃焼加熱手段から出力された暖房循環熱媒を前記暖房放熱体に入力する第１加熱後経路と、にて環状に構成されており、
前記燃焼熱源機には暖房循環熱媒を循環させる第１の暖房循環ポンプが設けられており、
前記第１加熱後経路のいずれかの位置には経路を閉鎖あるいは開口することが可能な第１の暖房熱動弁が設けられている、
給湯暖房システム。
【請求項２】
請求項１に記載の給湯暖房システムであって、
前記第１加熱後経路において暖房循環熱媒が前記燃焼加熱手段から出力されて前記第１の暖房熱動弁に入力されるまでの経路のいずれかの位置と、前記第１放熱後経路のいずれかの位置と、の間に接続される第１のバイパス暖房経路と、
前記第１のバイパス暖房経路のいずれかの位置に設けられて経路を閉鎖あるいは開口することが可能な第２の暖房熱動弁と、が設けられている、
給湯暖房システム。
【請求項３】
請求項２に記載の給湯暖房システムであって、
前記第２加熱後経路のいずれかの位置と、前記第１のバイパス暖房経路における前記第２の暖房熱動弁から前記第１放熱後経路への接続位置までのいずれかの位置と、の間に接続される第２のバイパス暖房経路が設けられている、
給湯暖房システム。
【請求項４】
請求項２または３に記載の給湯暖房システムであって、
前記運転状態設定手段から暖房運転が指示されていない、または暖房運転の停止が指示された場合、
前記暖房配管経路については、
前記第１の暖房熱動弁を閉鎖して前記第２の暖房熱動弁を開口して前記第１の暖房循環ポンプを駆動して暖房循環熱媒を循環させ、前記燃焼加熱手段と前記ヒートポンプ熱交換器の少なくとも一方を用いて暖房循環熱媒を加熱し、
前記給湯配管経路については、
前記給湯循環ポンプを駆動して前記給湯循環経路にて給湯温水を循環させて、前記第１の給湯暖房熱交換器にて加熱した給湯温水を前記貯湯タンクに蓄える、
給湯暖房システム。
【請求項５】
請求項１〜４のいずれか一項に記載の給湯暖房システムであって、
暖房循環熱媒の熱で給湯温水を加熱する第２の給湯暖房熱交換器を備え、
前記第２加熱後経路は、前記ヒートポンプ熱交換器から出力された暖房循環熱媒を、前記第２の給湯暖房熱交換器を経由させて前記燃焼加熱手段に入力し、
前記給湯循環経路は、前記貯湯タンク内に蓄えられている給湯温水を、前記貯湯タンクから前記第１の給湯暖房熱交換器と前記第２の給湯暖房熱交換器とを経由させて前記貯湯タンクに戻す、
給湯暖房システム。
【請求項６】
請求項１〜５のいずれか一項に記載の給湯暖房システムであって、
前記給湯経路における前記貯湯タンクから前記燃焼加熱手段までのいずれかの位置に配置されて前記貯湯タンクからの給湯温水が入力されるとともに前記第１の給水経路に接続された第２の給水経路から前記上水の一部が入力されて、入力された給湯温水と上水とを混合して前記燃焼加熱手段に向けて出力する給湯温水混合手段を備えている、
給湯暖房システム。
【請求項７】
請求項１〜６のいずれか一項に記載の給湯暖房システムであって、
前記運転状態設定手段から暖房運転が指示された場合、
前記暖房配管経路については、
前記第１の暖房熱動弁と前記第２の暖房熱動弁とが有る場合は前記第１の暖房熱動弁を開口して前記第２の暖房熱動弁を閉鎖して前記第１の暖房循環ポンプを駆動して暖房循環熱媒を循環させ、前記燃焼加熱手段と前記ヒートポンプ熱交換器の少なくとも一方を用いて暖房循環熱媒を加熱し、
前記第１の暖房熱動弁は有るが前記第２の暖房熱動弁が無い場合は前記第１の暖房熱動弁を開口して前記第１の暖房循環ポンプを駆動して暖房循環熱媒を循環させ、前記燃焼加熱手段と前記ヒートポンプ熱交換器の少なくとも一方を用いて暖房循環熱媒を加熱し、
前記給湯配管経路については、
前記給湯循環ポンプを駆動して前記給湯循環経路にて給湯温水を循環させて、前記第１の給湯暖房熱交換器と前記第２の給湯暖房熱交換器とが有る場合は前記第１の給湯暖房熱交換器と前記第２の給湯暖房熱交換器にて加熱した給湯温水を前記貯湯タンクに蓄え、前記第１の給湯暖房熱交換器は有るが前記第２の給湯暖房熱交換器が無い場合は前記第１の給湯暖房熱交換器にて加熱した給湯温水を前記貯湯タンクに蓄える、
給湯暖房システム。
【請求項８】
請求項１に記載の給湯暖房システムであって、
ヒートポンプ装置には、暖房循環熱媒を循環させる第２の暖房循環ポンプが設けられている、
給湯暖房システム。
【請求項９】
請求項８に記載の給湯暖房システムであって、
前記第２加熱後経路のいずれかの位置に配置されて前記第１放熱後経路のいずれかの位置と第３のバイパス暖房経路にて接続され、前記ヒートポンプ熱交換器の側から入力される暖房循環熱媒を、前記第２加熱後経路における前記燃焼加熱手段の側または前記第３のバイパス暖房経路の側、のいずれか一方に出力する経路切替弁を備えている、
給湯暖房システム。
【請求項１０】
請求項９に記載の給湯暖房システムであって、
前記運転状態設定手段から暖房運転が指示されていない、または暖房運転の停止が指示された場合、
前記暖房配管経路については、
前記経路切替弁を前記第３のバイパス暖房経路の側に切替えて、前記第２の暖房循環ポンプを駆動して暖房循環熱媒を循環させ、前記ヒートポンプ熱交換器にて暖房循環熱媒を加熱し、
前記給湯配管経路については、
前記給湯循環ポンプを駆動して前記給湯循環経路にて給湯温水を循環させて、前記第１の給湯暖房熱交換器にて加熱した給湯温水を前記貯湯タンクに蓄える、
給湯暖房システム。
【請求項１１】
請求項８〜１０のいずれか一項に記載の給湯暖房システムであって、
前記第３のバイパス暖房経路及び前記経路切替弁の両方が無い場合、
前記第２加熱後経路のいずれかの位置と、前記第１加熱後経路における前記第１の暖房熱動弁から前記暖房放熱体までの経路のいずれかの位置と、の間を接続する第４のバイパス暖房経路と、
前記第４のバイパス暖房経路のいずれかの位置に設けられて経路を閉鎖あるいは開口することが可能な第３の暖房熱動弁と、が設けられており、
前記第３のバイパス暖房経路及び前記経路切替弁の両方が有る場合、
前記第２加熱後経路における前記経路切替弁から前記燃焼加熱手段までの経路のいずれかの位置と、前記第１加熱後経路における前記第１の暖房熱動弁から前記暖房放熱体までの経路のいずれかの位置と、の間を接続する第４のバイパス暖房経路と、
前記第４のバイパス暖房経路のいずれかの位置に設けられて経路を閉鎖あるいは開口することが可能な第３の暖房熱動弁と、が設けられている、
給湯暖房システム。
【請求項１２】
請求項８〜１１のいずれか一項に記載の給湯暖房システムであって、
暖房循環熱媒の熱で給湯温水を加熱する第２の給湯暖房熱交換器を備え、
前記第２加熱後経路は、前記ヒートポンプ熱交換器から出力された暖房循環熱媒を、前記第２の給湯暖房熱交換器を経由させて前記燃焼加熱手段に入力し、
前記給湯循環経路は、前記貯湯タンク内に蓄えられている給湯温水を、前記貯湯タンクから前記第１の給湯暖房熱交換器と前記第２の給湯暖房熱交換器とを経由させて前記貯湯タンクに戻す、
給湯暖房システム。
【請求項１３】
請求項８〜１２のいずれか一項に記載の給湯暖房システムであって、
前記給湯経路における前記貯湯タンクから前記燃焼加熱手段までのいずれかの位置に配置されて前記貯湯タンクからの給湯温水が入力されるとともに前記第１の給水経路に接続された第２の給水経路から前記上水の一部が入力されて、入力された給湯温水と上水とを混合して前記燃焼加熱手段に向けて出力する給湯温水混合手段を備えている、
給湯暖房システム。
【請求項１４】
請求項８〜１３のいずれか一項に記載の給湯暖房システムであって、
前記運転状態設定手段から暖房運転が指示された場合、
前記暖房配管経路については、
前記第１の暖房熱動弁と前記経路切替弁と前記第３の暖房熱動弁とが有る場合、且つ燃焼加熱手段を用いて加熱する場合、前記第１の暖房熱動弁を開口して前記経路切替手段を前記燃焼加熱手段の側に切替えて前記第３の暖房熱動弁を閉鎖して、前記第１の暖房循環ポンプまたは前記第２の暖房循環ポンプの少なくとも一方を駆動して暖房循環熱媒を循環させ、前記燃焼加熱手段と前記ヒートポンプ熱交換器、あるいは前記燃焼加熱手段、にて暖房循環熱媒を加熱し、
前記第１の暖房熱動弁と前記経路切替弁と前記第３の暖房熱動弁とが有る場合、且つ燃焼加熱手段を用いて加熱しない場合、前記第１の暖房熱動弁を閉鎖して前記経路切替手段を前記燃焼加熱手段の側に切替えて前記第３の暖房熱動弁を開口して、前記第２の暖房循環ポンプを駆動して暖房循環熱媒を循環させ、前記ヒートポンプ熱交換器を用いて暖房循環熱媒を加熱し、
前記第１の暖房熱動弁と前記経路切替弁とが有って前記第３の暖房熱動弁が無い場合、前記第１の暖房熱動弁を開口して前記経路切替手段を前記燃焼加熱手段の側に切替えて、前記第１の暖房循環ポンプまたは前記第２の暖房循環ポンプの少なくとも一方を駆動して暖房循環熱媒を循環させ、前記燃焼加熱手段と前記ヒートポンプ熱交換器の少なくとも一方を用いて暖房循環熱媒を加熱し、
前記第１の暖房熱動弁と前記第３の暖房熱動弁とが有って前記経路切替弁が無い場合、且つ燃焼加熱手段を用いて加熱する場合、前記第１の暖房熱動弁を開口して前記第３の暖房熱動弁を閉鎖して、前記第１の暖房循環ポンプまたは前記第２の暖房循環ポンプの少なくとも一方を駆動して暖房循環熱媒を循環させ、前記燃焼加熱手段と前記ヒートポンプ熱交換器、あるいは前記燃焼加熱手段、にて暖房循環熱媒を加熱し、
前記第１の暖房熱動弁と前記第３の暖房熱動弁とが有って前記経路切替弁が無い場合、且つ燃焼加熱手段を用いて加熱しない場合、前記第１の暖房熱動弁を閉鎖して前記第３の暖房熱動弁を開口して、前記第２の暖房循環ポンプを駆動して暖房循環熱媒を循環させ、前記ヒートポンプ熱交換器を用いて暖房循環熱媒を加熱し、
前記第１の暖房熱動弁が有って前記経路切替弁と前記第３の暖房熱動弁が無い場合、前記第１の暖房循環ポンプまたは前記第２の暖房循環ポンプの少なくとも一方を駆動して暖房循環熱媒を循環させ、前記燃焼加熱手段と前記ヒートポンプ熱交換器の少なくとも一方を用いて暖房循環熱媒を加熱し、
前記給湯配管経路については、前記給湯循環ポンプを駆動して前記給湯循環経路にて給湯温水を循環させて、前記第１の給湯暖房熱交換器と前記第２の給湯暖房熱交換器とが有る場合は前記第１の給湯暖房熱交換器と前記第２の給湯暖房熱交換器にて加熱した給湯温水を前記貯湯タンクに蓄え、前記第１の給湯暖房熱交換器は有るが前記第２の給湯暖房熱交換器が無い場合は前記第１の給湯暖房熱交換器にて加熱した給湯温水を前記貯湯タンクに蓄える、
給湯暖房システム。
【発明の詳細な説明】
【技術分野】
【０００１】
本発明は、例えば石油バーナ等を備えた燃焼熱源機と電気ヒートポンプとを加熱源として有する給湯暖房システムに関する。
【背景技術】
【０００２】
近年では、化石燃料の燃焼を利用した燃焼加熱手段を備えた給湯システムと、同様の燃焼加熱手段によって暖房循環熱媒（温水、ブライン等）を加熱して床暖房放熱体等に供給する熱媒循環型の暖房システムと、が一体となったいわゆるセントラルヒーティングシステム（給湯暖房システム）が実用化されている。
また給湯システムにおいて、高いエネルギー効率による省エネルギーを目的に、上水（冷水）をヒートポンプ装置（電気ヒートポンプ）で加熱して貯湯タンクに蓄えておき、給湯の需要が発生した場合に貯湯タンク内の給湯温水を給湯し、貯湯タンク内の給湯温水が尽きた際には上記の燃焼加熱手段を補助熱源として用いることで湯切れ分を補う給湯システムが考案されている。また暖房システムにおいても、暖房循環熱媒をまずヒートポンプ装置で加熱して加熱の不足分を上記の燃焼加熱手段で補ったり、暖房循環熱媒を燃焼加熱手段で適切に加熱を継続した後でヒートポンプ装置による加熱に切替えたりすることで、燃焼加熱手段のみで加熱するよりもエネルギー効率を向上させることができる暖房システムが考案されている。
これらを組合せた給湯暖房システムにて、エネルギー効率が高く、二酸化炭素排出量の低減に貢献できる給湯暖房システムが望まれている。
【０００３】
例えば特許文献１に記載された従来技術では、燃焼熱源機（バーナ等）、電気ヒートポンプ、貯湯タンク、熱交換器等を備え、これらを種々の配管で接続し、種々のバルブやポンプを組合せ、給湯や床暖房等に利用する給湯暖房システムを構築している。この従来技術では、給湯負荷と暖房負荷が同時に発生する場合に、暖房温水を貯湯タンクに戻す前に給湯利用し、この給湯利用分だけの上水を貯湯タンクに補給し、これをヒートポンプ装置に流入させている。
【先行技術文献】
【特許文献】
【０００４】
【特許文献１】特開２０１０−１７５１５０号公報
【発明の概要】
【発明が解決しようとする課題】
【０００５】
燃焼加熱器のエネルギー効率と電気ヒートポンプのエネルギー効率を比較した場合、一般的には電気ヒートポンプのエネルギー効率のほうが燃焼加熱器のエネルギー効率よりも高い。燃焼加熱器のエネルギー効率は１００％を超えられないが、大気の温度を利用する近年の電気ヒートポンプでは条件次第で４００〜５００％程度に達するものも存在し、駆動源である商用電気自体のエネルギー効率（３０〜４０％程度）を考慮した一次エネルギー効率において１００％を超えるエネルギー効率を実現している。
しかし、エネルギー効率のみを重視して電気ヒートポンプのみで給湯暖房システムを構成すると、暖房に必要とされる能力や温度レベルが不足したり、条件によっては電気ヒートポンプの一次エネルギー効率が燃焼加熱器のエネルギー効率よりも下回ったりする場合もあるため、電気ヒートポンプと他の加熱装置とを組合せた給湯暖房システムとすることが好ましい。
【０００６】
特許文献１に記載された従来技術では、給湯負荷と暖房負荷が同時に発生する場合に、暖房温水を貯湯タンクに戻す前に給湯利用し、この給湯利用分だけの上水を貯湯タンクに補給し、これをヒートポンプ装置に流入させることで、ヒートポンプ装置に入力される給湯温水の温度をより低くすることができ、このとき電気ヒートポンプのエネルギー効率をより向上させることができる。しかし、給湯と床暖房等とを同時に利用しないときでは、電気ヒートポンプに入力される給湯温水の温度を積極的に低くすることができないので、エネルギー効率をより向上させることができない。
【０００７】
本発明は、このような点に鑑みて創案されたものであり、電気ヒートポンプと他の加熱装置とを組合せた給湯暖房システムにおいて、給湯の利用の有無にかかわらず、電気ヒートポンプのエネルギー効率をより向上させることができる給湯暖房システムを提供することを課題とする。
【課題を解決するための手段】
【０００８】
上記課題を解決するため、本発明に係る給湯暖房システムは次の手段をとる。
まず、本発明の第１の発明は、給湯温水を供給する給湯配管経路と、暖房機器である暖房放熱体に暖房循環熱媒を供給する暖房配管経路と、を有し、暖房循環熱媒を用いて放熱する前記暖房放熱体と、前記暖房放熱体の暖房運転の運転状態を利用者が設定可能な運転状態設定手段と、暖房循環熱媒を蓄えることなく給湯温水を蓄える貯湯タンクと、給湯温水と暖房循環熱媒のそれぞれを燃焼により加熱する燃焼加熱手段を有する燃焼熱源機と、暖房循環熱媒の熱で給湯温水を加熱する第１の給湯暖房熱交換器と、電気ヒートポンプにて加熱したヒートポンプ循環熱媒の熱で暖房循環熱媒を加熱するヒートポンプ熱交換器を有するヒートポンプ装置と、を備えている。
前記給湯配管経路は、給水源から供給される上水を前記貯湯タンクに供給する第１の給水経路と、前記貯湯タンク内に蓄えられている給湯温水を前記貯湯タンクから前記第１の給湯暖房熱交換器を経由させて前記貯湯タンクに戻す給湯循環経路と、前記貯湯タンク内に蓄えられている給湯温水を前記貯湯タンクから前記燃焼加熱手段を経由させて供給する給湯経路と、にて構成されており、前記給湯循環経路のいずれかの位置には給湯温水を循環させる給湯循環ポンプが設けられている。
前記暖房配管経路は、前記暖房放熱体から出力された暖房循環熱媒を前記第１の給湯暖房熱交換器に入力する第１放熱後経路と、前記第１の給湯暖房熱交換器から出力された暖房循環熱媒を前記ヒートポンプ熱交換器に入力する第２放熱後経路と、前記ヒートポンプ熱交換器から出力された暖房循環熱媒を前記燃焼加熱手段に入力する第２加熱後経路と、前記燃焼加熱手段から出力された暖房循環熱媒を前記暖房放熱体に入力する第１加熱後経路と、にて環状に構成されており、前記燃焼熱源機には暖房循環熱媒を循環させる第１の暖房循環ポンプが設けられており、前記第１加熱後経路のいずれかの位置には経路を閉鎖あるいは開口することが可能な第１の暖房熱動弁が設けられている。
【０００９】
この第１の発明では、暖房放熱体の暖房運転を行っている場合は給湯の利用の有無にかかわらず、第１の給湯暖房熱交換器にて、ヒートポンプ熱交換器に入力される暖房循環熱媒の温度を下げるとともに、貯湯タンクの給湯温水の温度を上げることができる。
これにより、暖房運転中であれば給湯の利用の有無にかかわらず、電気ヒートポンプのエネルギー効率をより向上させることができる。
【００１０】
次に、本発明の第２の発明は、上記第１の発明に係る給湯暖房システムであって、前記第１加熱後経路において暖房循環熱媒が前記燃焼加熱手段から出力されて前記第１の暖房熱動弁に入力されるまでの経路のいずれかの位置と、前記第１放熱後経路のいずれかの位置と、の間に接続される第１のバイパス暖房経路と、前記第１のバイパス暖房経路のいずれかの位置に設けられて経路を閉鎖あるいは開口することが可能な第２の暖房熱動弁と、が設けられている。
【００１１】
この第２の発明によれば、第１の発明に加えて、暖房放熱体の暖房運転を行っていない場合であっても、給湯の利用の有無にかかわらず、暖房放熱体への経路をバイパスし、電気ヒートポンプを稼動させ、第１の給湯暖房熱交換器にて、ヒートポンプ熱交換器に入力される暖房循環熱媒の温度を下げるとともに、貯湯タンクの給湯温水の温度を上げることができる。
これにより、暖房運転の有無、及び給湯の利用の有無にかかわらず、電気ヒートポンプのエネルギー効率をより向上させることができる。
【００１２】
次に、本発明の第３の発明は、上記第２の発明に係る給湯暖房システムであって、前記第２加熱後経路のいずれかの位置と、前記第１のバイパス暖房経路における前記第２の暖房熱動弁から前記第１放熱後経路への接続位置までのいずれかの位置と、の間に接続される第２のバイパス暖房経路が設けられている。
【００１３】
この第３の発明によれば、第１の発明に対して、暖房放熱体の暖房運転を行っている場合に適切な割合の暖房循環熱媒のみを用いて給湯温水を加熱するとともに当該割合の暖房循環熱媒のみを電気ヒートポンプにて加熱する。
ヒートポンプ装置に流入する暖房循環熱媒の流量が小さいほど電気ヒートポンプのエネルギー効率が高くなるので有効である。また暖房放熱体に流入する暖房循環熱媒は流量が大きいほど暖房温度の上昇時間が短くなり、好ましい。これらを両立させるために、暖房放熱体から出力された暖房循環熱媒のうちの所定量をヒートポンプ装置を経由させて燃焼加熱手段に到達させ、残りの暖房循環熱媒を第１のバイパス暖房経路と第２のバイパス暖房経路を経由させて燃焼加熱手段に到達させる。
これにより、暖房運転中であれば給湯の利用の有無にかかわらず、電気ヒートポンプのエネルギー効率をより向上させることができる。
【００１４】
次に、本発明の第４の発明は、上記第２または第３の発明に係る給湯暖房システムであって、前記運転状態設定手段から暖房運転が指示されていない、または暖房運転の停止が指示された場合、前記暖房配管経路については、前記第１の暖房熱動弁を閉鎖して前記第２の暖房熱動弁を開口して前記第１の暖房循環ポンプを駆動して暖房循環熱媒を循環させ、前記燃焼加熱手段と前記ヒートポンプ熱交換器の少なくとも一方を用いて暖房循環熱媒を加熱する。
そして前記給湯配管経路については、前記給湯循環ポンプを駆動して前記給湯循環経路にて給湯温水を循環させて、前記第１の給湯暖房熱交換器にて加熱した給湯温水を前記貯湯タンクに蓄える。
【００１５】
この第４の発明によれば、暖房放熱体の暖房運転の指示がされていない、または暖房運転中であったが暖房運転の停止が指示された場合において、第１及び第２の暖房熱動弁を適切に開閉して暖房循環熱媒を循環させる適切な経路を構築し、第１の暖房循環ポンプ、給湯循環ポンプを駆動して、電気ヒートポンプのエネルギー効率をより向上させながら、貯湯タンク内の給湯温水の加熱を適切に行うことができる。
【００１６】
次に、本発明の第５の発明は、上記第１〜第４のいずれか１つの発明に係る給湯暖房システムであって、暖房循環熱媒の熱で給湯温水を加熱する第２の給湯暖房熱交換器を備え、前記第２加熱後経路は、前記ヒートポンプ熱交換器から出力された暖房循環熱媒を、前記第２の給湯暖房熱交換器を経由させて前記燃焼加熱手段に入力する。
そして前記給湯循環経路は、前記貯湯タンク内に蓄えられている給湯温水を、前記貯湯タンクから前記第１の給湯暖房熱交換器と前記第２の給湯暖房熱交換器とを経由させて前記貯湯タンクに戻す。
【００１７】
この第５の発明によれば、燃焼熱源機に入力する暖房循環熱媒の温度をより低くすることができるので（燃焼熱源機に入力される直前の暖房循環熱媒の熱で給湯温水を加熱することができるので）、燃焼熱源機のエネルギー効率をより向上させることができる。
【００１８】
次に、本発明の第６の発明は、上記第１〜第５のいずれか１つの発明に係る給湯暖房システムであって、前記給湯経路における前記貯湯タンクから前記燃焼加熱手段までのいずれかの位置に配置されて前記貯湯タンクからの給湯温水が入力されるとともに前記第１の給水経路に接続された第２の給水経路から前記上水の一部が入力されて、入力された給湯温水と上水とを混合して前記燃焼加熱手段に向けて出力する給湯温水混合手段を備えている。
【００１９】
この第６の発明によれば、エネルギー効率をより高めるために、貯湯タンク内の給湯温水の温度が利用者から設定される給湯温度よりも非常に高い場合であっても、安全に温度を下げて吐出することができる。
【００２０】
次に、本発明の第７の発明は、上記第１〜第６のいずれか１つの発明に係る給湯暖房システムであって、前記運転状態設定手段から暖房運転が指示された場合、前記暖房配管経路については、前記第１の暖房熱動弁と前記第２の暖房熱動弁とが有る場合は前記第１の暖房熱動弁を開口して前記第２の暖房熱動弁を閉鎖して前記第１の暖房循環ポンプを駆動して暖房循環熱媒を循環させ、前記燃焼加熱手段と前記ヒートポンプ熱交換器の少なくとも一方を用いて暖房循環熱媒を加熱する。
また、前記第１の暖房熱動弁は有るが前記第２の暖房熱動弁が無い場合は前記第１の暖房熱動弁を開口して前記第１の暖房循環ポンプを駆動して暖房循環熱媒を循環させ、前記燃焼加熱手段と前記ヒートポンプ熱交換器の少なくとも一方を用いて暖房循環熱媒を加熱する。
そして前記給湯配管経路については、前記給湯循環ポンプを駆動して前記給湯循環経路にて給湯温水を循環させて、前記第１の給湯暖房熱交換器と前記第２の給湯暖房熱交換器とが有る場合は前記第１の給湯暖房熱交換器と前記第２の給湯暖房熱交換器にて加熱した給湯温水を前記貯湯タンクに蓄え、前記第１の給湯暖房熱交換器は有るが前記第２の給湯暖房熱交換器が無い場合は前記第１の給湯暖房熱交換器にて加熱した給湯温水を前記貯湯タンクに蓄える。
【００２１】
この第７の発明によれば、暖房放熱体の暖房運転の指示が入力された場合において、第１及び第２の暖房熱動弁を適切に開閉して暖房循環熱媒を循環させる適切な経路を構築し、第１の暖房循環ポンプ、給湯循環ポンプを駆動して、電気ヒートポンプや燃焼熱源機のエネルギー効率をより向上させながら、暖房放熱体の暖房運転、及び貯湯タンク内の給湯温水の加熱を適切に行うことができる。
【００２２】
次に、本発明の第８の発明は、上記第１の発明に係る給湯暖房システムであって、ヒートポンプ装置には、暖房循環熱媒を循環させる第２の暖房循環ポンプが設けられている。
【００２３】
この第８の発明によれば、第１の発明に対して、暖房循環熱媒を循環させる暖房循環ポンプが、更に１個多いので、暖房循環熱媒の経路の自由度を更に向上させることができる。そして第１の発明と同様に、暖房放熱体の暖房運転を行っているが給湯は利用していない場合であっても、ヒートポンプ熱交換器に入力される暖房循環熱媒の温度を下げることができる。
これにより、暖房運転中であれば給湯の利用の有無にかかわらず、電気ヒートポンプのエネルギー効率をより向上させることができる。
【００２４】
次に、本発明の第９の発明は、上記第８の発明に係る給湯暖房システムであって、前記第２加熱後経路のいずれかの位置に配置されて前記第１放熱後経路のいずれかの位置と第３のバイパス暖房経路にて接続され、前記ヒートポンプ熱交換器の側から入力される暖房循環熱媒を、前記第２加熱後経路における前記燃焼加熱手段の側または前記第３のバイパス暖房経路の側、のいずれか一方に出力する経路切替弁を備えている。
【００２５】
この第９の発明によれば、第３のバイパス暖房経路にて、燃焼熱源機と暖房放熱体をバイパスする経路を構成することができる。
これにより、暖房放熱体の暖房運転を行っていない場合であって燃焼熱源器を必要としない場合については、給湯の利用の有無にかかわらず、ヒートポンプ熱交換器に入力される暖房循環熱媒のムダな放熱を回避して貯湯タンク内の給湯温水を加熱することができるので、暖房運転の有無、及び給湯の利用の有無にかかわらず、電気ヒートポンプのエネルギー効率をより向上させることができる。
【００２６】
次に、本発明の第１０の発明は、上記第９の発明に係る給湯暖房システムであって、前記運転状態設定手段から暖房運転が指示されていない、または暖房運転の停止が指示された場合、前記暖房配管経路については、前記経路切替弁を前記第３のバイパス暖房経路の側に切替えて、前記第２の暖房循環ポンプを駆動して暖房循環熱媒を循環させ、前記ヒートポンプ熱交換器にて暖房循環熱媒を加熱する。
そして前記給湯配管経路については、前記給湯循環ポンプを駆動して前記給湯循環経路にて給湯温水を循環させて、前記第１の給湯暖房熱交換器にて加熱した給湯温水を前記貯湯タンクに蓄える。
【００２７】
この第１０の発明によれば、暖房放熱体の暖房運転の指示がされていない、または暖房運転中であったが暖房運転の停止が指示された場合において、第１の暖房熱動弁と経路切替弁を適切に開閉及び切替えして、暖房循環熱媒を循環させる適切な経路を構築し、第１及び第２の暖房循環ポンプ、給湯循環ポンプを駆動して、暖房運転をしていない場合において給湯の利用の有無にかかわらず、電気ヒートポンプのエネルギー効率をより向上させながら、貯湯タンク内の給湯温水の加熱を適切に行うことができる。
【００２８】
次に、本発明の第１１の発明は、上記第８〜第１０のいずれか１つの発明に係る給湯暖房システムであって、前記第３のバイパス暖房経路及び前記経路切替弁の両方が無い場合、前記第２加熱後経路のいずれかの位置と、前記第１加熱後経路における前記第１の暖房熱動弁から前記暖房放熱体までの経路のいずれかの位置と、の間を接続する第４のバイパス暖房経路と、前記第４のバイパス暖房経路のいずれかの位置に設けられて経路を閉鎖あるいは開口することが可能な第３の暖房熱動弁と、が設けられている。
また、前記第３のバイパス暖房経路及び前記経路切替弁の両方が有る場合、前記第２加熱後経路における前記経路切替弁から前記燃焼加熱手段までの経路のいずれかの位置と、前記第１加熱後経路における前記第１の暖房熱動弁から前記暖房放熱体までの経路のいずれかの位置と、の間を接続する第４のバイパス暖房経路と、前記第４のバイパス暖房経路のいずれかの位置に設けられて経路を閉鎖あるいは開口することが可能な第３の暖房熱動弁と、が設けられている。
【００２９】
この第１１の発明によれば、第４のバイパス経路にて、燃焼熱源機をバイパスする経路を構成することができる。
これにより、暖房放熱体の暖房運転を行っている場合であって燃焼熱源器を必要としない場合については、給湯の利用の有無にかかわらず、ヒートポンプ熱交換器に入力される暖房循環熱媒のムダな放熱を回避して貯湯タンク内の給湯温水の加熱と暖房循環熱媒の加熱をすることができるので、電気ヒートポンプのエネルギー効率をより向上させることができる。
【００３０】
次に、本発明の第１２の発明は、上記第８〜第１１のいずれか１つの発明に係る給湯暖房システムであって、暖房循環熱媒の熱で給湯温水を加熱する第２の給湯暖房熱交換器を備え、前記第２加熱後経路は、前記ヒートポンプ熱交換器から出力された暖房循環熱媒を、前記第２の給湯暖房熱交換器を経由させて前記燃焼加熱手段に入力し、前記給湯循環経路は、前記貯湯タンク内に蓄えられている給湯温水を、前記貯湯タンクから前記第１の給湯暖房熱交換器と前記第２の給湯暖房熱交換器とを経由させて前記貯湯タンクに戻す。
【００３１】
この第１２の発明によれば、燃焼熱源機に入力する暖房循環熱媒の温度をより低くすることができるので（燃焼熱源機に入力される直前の暖房循環熱媒の熱で給湯温水を加熱することができるので）、燃焼熱源機のエネルギー効率をより向上させることができる。
【００３２】
次に、本発明の第１３の発明は、上記第８〜第１２のいずれか１つの発明に係る給湯暖房システムであって、前記給湯経路における前記貯湯タンクから前記燃焼加熱手段までのいずれかの位置に配置されて前記貯湯タンクからの給湯温水が入力されるとともに前記第１の給水経路に接続された第２の給水経路から前記上水の一部が入力されて、入力された給湯温水と上水とを混合して前記燃焼加熱手段に向けて出力する給湯温水混合手段を備えている。
【００３３】
この第１３の発明によれば、エネルギー効率をより高めるために、貯湯タンク内の給湯温水の温度が利用者から設定される給湯温度よりも非常に高い場合であっても、安全に温度を下げて吐出することができる。
【００３４】
次に、本発明の第１４の発明は、上記第８〜第１３のいずれか１つの発明に係る給湯暖房システムであって、前記運転状態設定手段から暖房運転が指示された場合、前記暖房配管経路については、前記第１の暖房熱動弁と前記経路切替弁と前記第３の暖房熱動弁とが有る場合、且つ燃焼加熱手段を用いて加熱する場合、前記第１の暖房熱動弁を開口して前記経路切替手段を前記燃焼加熱手段の側に切替えて前記第３の暖房熱動弁を閉鎖して、前記第１の暖房循環ポンプまたは前記第２の暖房循環ポンプの少なくとも一方を駆動して暖房循環熱媒を循環させ、前記燃焼加熱手段と前記ヒートポンプ熱交換器、あるいは前記燃焼加熱手段、にて暖房循環熱媒を加熱する。
また、前記第１の暖房熱動弁と前記経路切替弁と前記第３の暖房熱動弁とが有る場合、且つ燃焼加熱手段を用いて加熱しない場合、前記第１の暖房熱動弁を閉鎖して前記経路切替手段を前記燃焼加熱手段の側に切替えて前記第３の暖房熱動弁を開口して、前記第２の暖房循環ポンプを駆動して暖房循環熱媒を循環させ、前記ヒートポンプ熱交換器を用いて暖房循環熱媒を加熱する。
また、前記第１の暖房熱動弁と前記経路切替弁とが有って前記第３の暖房熱動弁が無い場合、前記第１の暖房熱動弁を開口して前記経路切替手段を前記燃焼加熱手段の側に切替えて、前記第１の暖房循環ポンプまたは前記第２の暖房循環ポンプの少なくとも一方を駆動して暖房循環熱媒を循環させ、前記燃焼加熱手段と前記ヒートポンプ熱交換器の少なくとも一方を用いて暖房循環熱媒を加熱する。
また、前記第１の暖房熱動弁と前記第３の暖房熱動弁とが有って前記経路切替弁が無い場合、且つ燃焼加熱手段を用いて加熱する場合、前記第１の暖房熱動弁を開口して前記第３の暖房熱動弁を閉鎖して、前記第１の暖房循環ポンプまたは前記第２の暖房循環ポンプの少なくとも一方を駆動して暖房循環熱媒を循環させ、前記燃焼加熱手段と前記ヒートポンプ熱交換器、あるいは前記燃焼加熱手段、にて暖房循環熱媒を加熱する。
また、前記第１の暖房熱動弁と前記第３の暖房熱動弁とが有って前記経路切替弁が無い場合、且つ燃焼加熱手段を用いて加熱しない場合、前記第１の暖房熱動弁を閉鎖して前記第３の暖房熱動弁を開口して、前記第２の暖房循環ポンプを駆動して暖房循環熱媒を循環させ、前記ヒートポンプ熱交換器を用いて暖房循環熱媒を加熱する。
また、前記第１の暖房熱動弁が有って前記経路切替弁と前記第３の暖房熱動弁が無い場合、前記第１の暖房循環ポンプまたは前記第２の暖房循環ポンプの少なくとも一方を駆動して暖房循環熱媒を循環させ、前記燃焼加熱手段と前記ヒートポンプ熱交換器の少なくとも一方を用いて暖房循環熱媒を加熱する。
そして前記給湯配管経路については、前記給湯循環ポンプを駆動して前記給湯循環経路にて給湯温水を循環させて、前記第１の給湯暖房熱交換器と前記第２の給湯暖房熱交換器とが有る場合は前記第１の給湯暖房熱交換器と前記第２の給湯暖房熱交換器にて加熱した給湯温水を前記貯湯タンクに蓄え、前記第１の給湯暖房熱交換器は有るが前記第２の給湯暖房熱交換器が無い場合は前記第１の給湯暖房熱交換器にて加熱した給湯温水を前記貯湯タンクに蓄える。
【００３５】
この第１４の発明によれば、暖房放熱体の暖房運転の指示が入力された場合において、第１及び第３の暖房熱動弁を適切に開閉し、且つ経路切替弁を適切に切替えて暖房循環熱媒を循環させる適切な経路を構築し、第１及び第２の暖房循環ポンプ、給湯循環ポンプを駆動して、電気ヒートポンプや燃焼熱源機のエネルギー効率をより向上させながら、暖房放熱体の暖房運転、及び貯湯タンク内の給湯温水の加熱を適切に行うことができる。
【図面の簡単な説明】
【００３６】
【図１】給湯暖房システム１の第１の実施の形態を説明する図である。
【図２】給湯暖房システム１の第２の実施の形態を説明する図である。
【図３】給湯暖房システム１の第３の実施の形態を説明する図である。
【図４】給湯暖房システム１の第４の実施の形態を説明する図である。
【図５】給湯暖房システム１の第５の実施の形態を説明する図である。
【図６】第１〜第５の実施の形態を組合せた第６の実施の形態を説明する図である。
【図７】給湯暖房システム１の第７の実施の形態を説明する図である。
【図８】給湯暖房システム１の第８の実施の形態を説明する図である。
【図９】給湯暖房システム１の第９の実施の形態を説明する図である。
【図１０】給湯暖房システム１の第１０の実施の形態を説明する図である。
【図１１】給湯暖房システム１の第１１の実施の形態を説明する図である。
【図１２】第７〜第１１の実施の形態を組合せた第１２の実施の形態を説明する図である。
【発明を実施するための形態】
【００３７】
以下に本発明を実施するための形態を図面を用いて説明する。以下、第１〜第１２の実施の形態について順に説明する。
なお、第１〜第６の実施の形態では、暖房循環熱媒（例えば温水）を循環させるポンプが燃焼熱源機２０に備えられている第１の暖房循環ポンプＰ１のみである場合の構成について説明する。
また、第７〜第１２の実施の形態では、暖房循環熱媒を循環させるポンプが上記の第１の暖房循環ポンプＰ１と、ヒートポンプ装置１０に備えられている第２の暖房循環ポンプＰ２である場合の構成について説明する。
【００３８】
●［第１の実施の形態（図１）］
次に図１を用いて、給湯暖房システム１の第１の実施の形態の構成について説明する。
第１の実施の形態の給湯暖房システム１は、ヒートポンプ装置１０、燃焼熱源機２０、暖房放熱体３０（床暖房装置等の暖房機器）、運転状態設定手段４０、給湯装置５０、第１の給湯暖房熱交換器Ｎ１等と、各種の配管や弁等にて構成されている。
なお、図１〜図１２に示すように、全ての実施の形態において、給湯温水を供給する経路である給湯配管経路と、暖房放熱体に暖房循環熱媒を供給する経路である暖房配管経路と、は別々の経路に分離されている。
【００３９】
暖房放熱体３０は例えば部屋Ｒの床に設けられた床暖房装置であり、燃焼熱源機２０から出力された暖房循環熱媒が第１加熱後経路Ｈ２３を介して入力されて部屋Ｒ内に放熱し、第１放熱後経路Ｈ３１ａ、第２放熱後経路Ｈ３１ｂを介して放熱後の暖房循環熱媒をヒートポンプ熱交換器１３に向けて出力する。
運転状態設定手段４０は、部屋Ｒの壁等に設けられており、利用者が暖房放熱体３０の運転のＯＮとＯＦＦを設定する暖房運転起動手段、暖房温度を数値で設定する暖房温度設定手段または設定温度を能力段階（強・中・弱や１・２・３・４・５等）で選択する暖房能力設定手段の少なくとも一方、家庭の分電盤によって供給可能な最大電流の入力手段、設定状態や運転状態等を表示する表示手段、ＣＰＵ等の制御手段を備えている。
また、図示省略するが、給湯運転のＯＮとＯＦＦを設定する給湯運転起動手段、給湯温度を数値で設定する給湯温度設定手段、湯張指示及び湯張温度を設定する湯張設定手段、給湯設定状態等を表示する表示手段、ＣＰＵ等の制御手段を備えた給湯状態設定手段が、部屋Ｒまたは部屋Ｒとは別の場所（キッチン等）に設けられている。
なお、上記の運転状態設定手段４０と上記の給湯状態設定手段とを一体化した運転状態設定手段４０を構成してもよい。
【００４０】
燃焼熱源機２０は例えばガスや石油等の化石燃料を燃焼させて給湯温水及び暖房循環熱媒を加熱する装置であり、熱交換器２３ａ及び２３ｂ、熱交換器を介して給湯温水及び暖房循環熱媒を加熱する燃焼加熱手段２２（燃焼バーナ等）、燃焼制御手段２１、燃料供給経路Ｈ２２、第１の暖房循環ポンプＰ１、外気温度検出手段（図示省略）、外気吸気手段（図示省略）等を備えている。そして燃焼制御手段２１はＣＰＵ等の制御手段を備えており、燃焼加熱手段２２、第１の暖房熱動弁Ｖ１、第１の暖房循環ポンプＰ１を制御する。
また燃焼制御手段２１は、第１の通信線Ｔ１を介して運転状態設定手段４０と互いに通信可能となるように接続され、第２の通信線Ｔ２を介してヒートポンプ制御手段１１と互いに通信可能となるように接続され、第３の通信線Ｔ３を介して給湯制御手段５１と互いに通信可能となるように接続されている。
【００４１】
利用者は、暖房放熱体３０を起動して暖房運転を所望する場合、運転状態設定手段４０を操作して、暖房放熱体３０の暖房運転の起動（ＯＮ）を設定し、所望する暖房温度や運転時間等を設定する。すると、暖房起動（ＯＮ）と暖房設定温度等を含む入力情報は、第１の通信線Ｔ１を介して運転状態設定手段４０から燃焼制御手段２１に送信され、第２の通信線Ｔ２を介して燃焼制御手段２１からヒートポンプ制御手段１１に送信され、第３の通信線Ｔ３を介して燃焼制御手段２１から給湯制御手段５１に送信される。そして入力情報を受信した燃焼制御手段２１、ヒートポンプ制御手段１１、給湯制御手段５１は、受信した入力情報に基づいて、第１の暖房熱動弁Ｖ１、第１の暖房循環ポンプＰ１、燃焼加熱手段２２、電気ヒートポンプ１２、給湯循環ポンプＰＫ等を制御する。
【００４２】
また、利用者は、給湯装置５０を起動して給湯を所望する場合、運転状態設定手段４０を操作して、給湯装置５０の給湯運転の起動（ＯＮ）を設定し、所望する給湯温度を設定する。すると、給湯起動（ＯＮ）と給湯設定温度等を含む入力情報は、第１の通信線Ｔ１を介して運転状態設定手段４０から燃焼制御手段２１に送信され、第２の通信線Ｔ２を介して燃焼制御手段２１からヒートポンプ制御手段１１に送信され、第３の通信線Ｔ３を介して燃焼制御手段２１から給湯制御手段５１に送信される。そして入力情報を受信した燃焼制御手段２１、ヒートポンプ制御手段１１、給湯制御手段５１は、受信した入力情報に基づいて、第１の暖房熱動弁Ｖ１、第１の暖房循環ポンプＰ１、燃焼加熱手段２２、電気ヒートポンプ１２、給湯循環ポンプＰＫ等を制御する。
【００４３】
ヒートポンプ装置１０は、ヒートポンプ制御手段１１、電気ヒートポンプ１２、ヒートポンプ熱交換器１３等を備えている。そしてヒートポンプ制御手段１１はＣＰＵ等の制御手段を備えており、電気ヒートポンプ１２を制御する。
ヒートポンプ熱交換器１３は、第２放熱後経路Ｈ３１ｂから入力された暖房循環熱媒を、ヒートポンプ循環熱媒配管Ｈｈ内を循環するヒートポンプ循環熱媒（例えばＣＯ2やＲ４１０Ａ（代替フロン冷媒））を用いて加熱し、加熱した暖房循環熱媒を、燃焼熱源機２０に向けて第２加熱後経路Ｈ１２に出力する。
また電気ヒートポンプ１２は、ヒートポンプ循環熱媒を加熱することとヒートポンプ循環熱媒の流量を調節することが可能である。
そして給湯装置５０は、給湯制御手段５１、貯湯タンク５２、給湯循環ポンプＰＫ等を備えている。なお貯湯タンク５２は、暖房循環熱媒を蓄えることなく給湯温水を蓄えており、貯湯タンク５２内の温水は暖房循環熱媒には利用されず、給湯に利用される。
【００４４】
また、給湯温水を供給する給湯配管経路は、以下の経路にて構成されている。
給水源から供給される上水を貯湯タンク５２に供給する第１の給水経路Ｋ１。
貯湯タンク５２内に蓄えられている給湯温水を貯湯タンク５２から第１の給湯暖房熱交換器Ｎ１を経由させて貯湯タンク５２に戻す給湯循環経路Ｋ２。
貯湯タンク５２内に蓄えられている給湯温水を貯湯タンク５２から燃焼加熱手段２２を経由させて供給する給湯経路Ｋ３。
なお、給湯循環経路Ｋ２のいずれかの位置には給湯温水を循環させる給湯循環ポンプＰＫが設けられている。
また、第１の給水経路Ｋ１にて供給される上水は比較的温度が低いので、貯湯タンク５２の下方の低温層に導かれる。
また、給湯循環経路Ｋ２では、比較的温度が低い貯湯タンク５２の下方の低温層から給湯温水を取り出し、第１の給湯暖房熱交換器Ｎ１で加熱した給湯温水を、比較的温度が高い貯湯タンク５２の上方の高温層に戻している。
また、給湯経路Ｋ３では、比較的温度が高い貯湯タンク５２の上方の高温層から給湯温水を取り出して供給する。
【００４５】
また、暖房循環熱媒を循環させる暖房配管経路は、以下の経路にて環状に構成されている。
暖房放熱体３０から出力された暖房循環熱媒を第１の給湯暖房熱交換器Ｎ１に入力する第１放熱後経路Ｈ３１ａ。
第１の給湯暖房熱交換器Ｎ１から出力された暖房循環熱媒をヒートポンプ熱交換器１３に入力する第２放熱後経路Ｈ３１ｂ。
ヒートポンプ熱交換器１３から出力された暖房循環熱媒を熱交換器２３ｂ（燃焼加熱手段２２）に入力する第２加熱後経路Ｈ１２。
熱交換器２３ｂ（燃焼加熱手段２２）から出力された暖房循環熱媒を暖房放熱体３０に入力する第１加熱後経路Ｈ２３。
なお、暖房循環熱媒は第１の暖房循環ポンプＰ１にて循環する。
また本実施の形態の説明では、上記のように燃焼加熱手段２２と熱交換器２３ｂを合わせて「燃焼加熱手段」と呼ぶ場合があり、例えば「燃焼加熱手段に入力する」とは、「燃焼加熱手段２２と組み合わされている熱交換器２３ｂに入力する」ことを指す。
【００４６】
以上の構成にて、図１に示す第１の実施の形態の給湯暖房システム１では、暖房放熱体３０の暖房運転を行っている場合、給湯の利用の有無にかかわらず、以下のように、電気ヒートポンプ１２のエネルギー効率をより向上させることができる。
電気ヒートポンプ１２のエネルギー効率をより向上させるためには、ヒートポンプ熱交換器１３に入力される暖房循環熱媒の温度と、当該ヒートポンプ熱交換器１３から出力される暖房循環熱媒の温度との温度差を大きくすることが好ましい。この場合、ヒートポンプ熱交換器１３に入力される暖房循環熱媒の温度をより低くすることが好ましい。
【００４７】
運転状態設定手段４０から暖房運転が指示された場合、燃焼制御手段２１、ヒートポンプ制御手段１１、給湯制御手段５１は、受信した入力情報に基づいて、第１の暖房熱動弁Ｖ１を開口し、第１の暖房循環ポンプＰ１を駆動して暖房循環熱媒を循環させる。そして燃焼加熱手段２２と電気ヒートポンプ１２の少なくとも一方を用いて暖房循環熱媒を加熱し、更に給湯循環ポンプＰＫを駆動して給湯温水を循環させ、第１の給湯暖房熱交換器Ｎ１を用いて給湯温水を加熱する。
第１の実施の形態の構成では、暖房放熱体３０の暖房運転を行っている場合、給湯の利用の有無にかかわらず、貯湯タンク５２内の給湯温水を、給湯循環経路Ｋ２（及び給湯循環ポンプＰＫ）にて循環させることで、第１の給湯暖房熱交換器Ｎ１にて、暖房循環熱媒の熱で給湯温水を加熱し、暖房循環熱媒の温度を低下させることができる。
これにより、電気ヒートポンプ１２のエネルギー効率をより向上させることができる。
【００４８】
●［第２の実施の形態（図２）］
次に図２を用いて、給湯暖房システム１の第２の実施の形態の構成について説明する。
図２に示す第２の実施の形態は、図１に示す第１の実施の形態に対して、太線で示す第１のバイパス暖房経路ＨＢ１、当該第１のバイパス暖房経路ＨＢ１のいずれかの位置に設けられた第２の暖房熱動弁Ｖ２（給湯制御手段５１から制御）が追加されている点が異なる。
第１のバイパス暖房経路ＨＢ１は、第１加熱後経路Ｈ２３において暖房循環熱媒が燃焼加熱手段２２（熱交換器２３ｂ）から出力されて第１の暖房熱動弁Ｖ１に入力されるまでの経路のいずれかの位置と、第１放熱後経路Ｈ３１ａのいずれかの位置と、の間に接続されている。また第２の暖房熱動弁Ｖ２は、第１のバイパス暖房経路ＨＢ１のいずれかの位置に設けられて経路を閉鎖あるいは開口することが可能である。
【００４９】
運転状態設定手段４０から暖房運転が指示された場合は、第１の実施の形態と同様に、燃焼制御手段２１、ヒートポンプ制御手段１１、給湯制御手段５１は、受信した入力情報に基づいて、第１の暖房熱動弁Ｖ１を開口して第２の暖房熱動弁Ｖ２を閉鎖し、第１の暖房循環ポンプＰ１を駆動して暖房循環熱媒を循環させる。そして燃焼加熱手段２２と電気ヒートポンプ１２の少なくとも一方を用いて暖房循環熱媒を加熱し、更に給湯循環ポンプＰＫを駆動して給湯温水を循環させ、第１の給湯暖房熱交換器Ｎ１を用いて給湯温水を加熱する。
【００５０】
また、運転状態設定手段４０から暖房運転の指示がされていない場合、あるいは暖房運転中であったが暖房運転の停止が指示された場合、燃焼制御手段２１、ヒートポンプ制御手段１１、給湯制御手段５１は、第１の暖房熱動弁Ｖ１を閉鎖して第２の暖房熱動弁Ｖ２を開口し、第１の暖房循環ポンプＰ１を駆動して暖房循環熱媒を循環させる。そして燃焼加熱手段２２と電気ヒートポンプ１２の少なくとも一方を用いて暖房循環熱媒を加熱し、更に給湯循環ポンプＰＫを駆動して給湯温水を循環させ、第１の給湯暖房熱交換器Ｎ１を用いて給湯温水を加熱する。
これにより、第１の実施の形態に加えて、暖房運転を行っていない場合であっても、電気ヒートポンプ１２を運転して給湯温水を加熱して貯湯タンクへ貯湯することができるため、給湯運転におけるエネルギー効率をより向上させることができる。
【００５１】
●［第３の実施の形態（図３）］
次に図３を用いて、給湯暖房システム１の第３の実施の形態の構成について説明する。
図３に示す第３の実施の形態は、図２に示す第２の実施の形態に対して、太線で示す第２のバイパス暖房経路ＨＢ２が追加されている点が異なる。
第２のバイパス暖房経路ＨＢ２は、第２加熱後経路Ｈ１２のいずれかの位置と、第１のバイパス暖房経路ＨＢ１における第２の暖房熱動弁Ｖ２から第１放熱後経路Ｈ３１ａへの接続位置までのいずれかの位置と、の間に接続されている。
【００５２】
運転状態設定手段４０から暖房運転が指示された場合は、燃焼制御手段２１、ヒートポンプ制御手段１１、給湯制御手段５１は、受信した入力情報に基づいて、第１の暖房熱動弁Ｖ１を開口して第２の暖房熱動弁Ｖ２を閉鎖し、第１の暖房循環ポンプＰ１を駆動して暖房循環熱媒を循環させる。そして燃焼加熱手段２２と電気ヒートポンプ１２の少なくとも一方を用いて暖房循環熱媒を加熱し、更に給湯循環ポンプＰＫを駆動して給湯温水を循環させ、第１の給湯暖房熱交換器Ｎ１を用いて給湯温水を加熱する。
【００５３】
第３の実施の形態では、暖房放熱体３０の暖房運転を行っている場合に適切な割合の暖房循環熱媒のみを用いて給湯温水を加熱するとともに当該割合の暖房循環熱媒のみを電気ヒートポンプ１２にて加熱する。
ヒートポンプ装置１０に流入する暖房循環熱媒の流量が小さいほど電気ヒートポンプ１２のエネルギー効率が高くなるので有効である。また暖房放熱体３０に流入する暖房循環熱媒は流量が大きいほど暖房温度の上昇時間が短くなり、好ましい。これらを両立させるために、暖房放熱体３０から出力された暖房循環熱媒のうちの所定量をヒートポンプ装置１０を経由させて燃焼加熱手段２２に到達させ、残りの暖房循環熱媒を第１のバイパス暖房経路ＨＢ１と第２のバイパス暖房経路ＨＢ２を経由させて燃焼加熱手段２２に到達させる。
【００５４】
また、運転状態設定手段４０から暖房運転の指示がされていない場合、あるいは暖房運転中であったが暖房運転の停止が指示された場合、燃焼制御手段２１、ヒートポンプ制御手段１１、給湯制御手段５１は、第１の暖房熱動弁Ｖ１を閉鎖して第２の暖房熱動弁Ｖ２を開口し、第１の暖房循環ポンプＰ１を駆動して暖房循環熱媒を循環させる。そして燃焼加熱手段２２と電気ヒートポンプ１２の少なくとも一方を用いて暖房循環熱媒を加熱し、更に給湯循環ポンプＰＫを駆動して給湯温水を循環させ、第１の給湯暖房熱交換器Ｎ１を用いて給湯温水を加熱する。
【００５５】
第３の実施の形態では、暖房放熱体３０の暖房運転を行っていない場合に適切な割合の暖房循環熱媒のみを電気ヒートポンプ１２にて加熱して給湯温水の加熱に利用する。
第１の暖房循環ポンプＰ１にて熱交換器２３ｂ（燃焼加熱手段２２）から出力された暖房循環熱媒を第２の暖房熱動弁Ｖ２を経由させて、所定量の暖房循環熱媒を第２のバイパス暖房経路ＨＢ２から熱交換器２３ｂ（燃焼加熱手段２２）に戻し、残りの暖房循環熱媒を第１のバイパス暖房経路ＨＢ１から、第１の給湯暖房熱交換器Ｎ１とヒートポンプ熱交換器１３を経由させて熱交換器２３ｂ（燃焼加熱手段２２）に戻す。
これにより、適切な少量の暖房循環熱媒を電気ヒートポンプにて加熱し、電気ヒートポンプのエネルギー効率をより向上させることができる。
【００５６】
●［第４の実施の形態（図４）］
次に図４を用いて、給湯暖房システム１の第４の実施の形態の構成について説明する。
図４に示す第４の実施の形態は、図２に示す第２の実施の形態に対して、ヒートポンプ装置１０から出力した暖房循環熱媒の熱で給湯温水を加熱する第２の給湯暖房熱交換器Ｎ２が、第２加熱後経路Ｈ１２のいずれかの位置に追加されている点が異なる。そして、給湯循環経路Ｋ２は、第１の給湯暖房熱交換器Ｎ１と第２の給湯暖房熱交換器Ｎ２を経由するように構成されている。
【００５７】
運転状態設定手段４０から暖房運転が指示された場合は、燃焼制御手段２１、ヒートポンプ制御手段１１、給湯制御手段５１は、受信した入力情報に基づいて、第１の暖房熱動弁Ｖ１を開口して第２の暖房熱動弁Ｖ２を閉鎖し、第１の暖房循環ポンプＰ１を駆動して暖房循環熱媒を循環させる。そして燃焼加熱手段２２と電気ヒートポンプ１２の少なくとも一方を用いて暖房循環熱媒を加熱し、更に給湯循環ポンプＰＫを駆動して給湯温水を循環させ、第１の給湯暖房熱交換器Ｎ１と第２の給湯暖房熱交換器Ｎ２を用いて給湯温水を加熱する。
第４の実施の形態では、第２の給湯暖房熱交換器Ｎ２にて、熱交換器２３ｂ（燃焼加熱手段２２）に入力される暖房循環熱媒の温度を下げることができるので、燃焼加熱手段２２のエネルギー効率をより向上させることができる。
【００５８】
また、運転状態設定手段４０から暖房運転の指示がされていない場合、あるいは暖房運転中であったが暖房運転の停止が指示された場合は、第２の実施の形態と同様、暖房運転を行っていない場合であっても、電気ヒートポンプ１２を運転して給湯温水を加熱して貯湯タンクへ貯湯することができるため、給湯運転におけるエネルギー効率をより向上させることができる。また、第２の給湯暖房熱交換器Ｎ２にて、熱交換器２３ｂ（燃焼加熱手段２２）に入力される暖房循環熱媒の温度を下げることができるので、燃焼加熱手段２２のエネルギー効率をより向上させることができる。
【００５９】
●［第５の実施の形態（図５）］
次に図５を用いて、給湯暖房システム１の第５の実施の形態の構成について説明する。
図５に示す第５の実施の形態は、図２に示す第２の実施の形態に対して、貯湯タンク５２内の給湯温水を、燃焼加熱手段２２を経由させて供給する給湯経路Ｋ３のいずれかの位置に設けられた給湯温水混合手段６０と、第１の給水経路Ｋ１から供給される上水の少なくとも一部を給湯温水混合手段６０に供給することが可能な第２の給水経路Ｋ４と、給湯温水混合手段６０の混合制御手段６１と燃焼制御手段２１とが互いに通信可能となるように接続された第４の通信線Ｔ４と、が追加されている点が異なる。
なお、給湯温水混合手段６０は、給湯温水と上水とを混合して給湯温水の温度を下げる混合装置６２と、混合装置６２の混合割合を制御する混合制御手段６１とを備えている。
混合制御手段６１には、運転状態設定手段４０にて設定された給湯温度が、燃焼制御手段２１を経由して入力される。
【００６０】
一般に、運転状態設定手段４０にて設定される給湯温水の温度における最低温度は３５［℃］程度である。貯湯タンク内の給湯温水を、燃焼加熱手段にて加熱して吐出させる場合、貯湯タンクに貯湯可能な給湯温水の最高温度が３０［℃］程度に制限されてしまう。
その一方で、給湯運転効率を向上するには、ヒートポンプ装置の加熱分を大きくする必要があり、貯湯タンク内の給湯温水の最高温度を、給湯制御手段にて設定される給湯温水の最高温度である６０［℃］程度とすることが望ましい。
これを解決するために、給湯温水混合手段を設け、貯湯タンクから供給される給湯温水と上水（冷水）とを適切に混合して燃焼加熱手段に入力する給湯温水の温度を適切に制御できる構成としている。
これにより、貯湯タンク５２内の給湯温水の温度を６０［℃］程度とすることができるので、電気ヒートポンプ１２のエネルギー効率をより向上させることができる。
【００６１】
●［第６の実施の形態（図６）］
次に図６を用いて、給湯暖房システム１の第６の実施の形態の構成について説明する。
図６に示す第６の実施の形態は、第１の実施の形態〜第５の実施の形態を全て織り込んだものであり、第１の実施の形態〜第５の実施の形態にて説明したとおりの効果（エネルギー効率の向上）を有している。
【００６２】
従来は、暖房放熱体３０による暖房が充分に行き渡り定常状態に到達すると、第１の暖房熱動弁Ｖ１を一定周期で開閉させる間欠加熱を行っていた。この場合、第１の暖房熱動弁Ｖ１の開閉に連動させてヒートポンプ装置の運転と停止を行う必要があるが、ヒートポンプ装置の運転と停止を繰り返すと連続運転と比較して効率が低下する。ヒートポンプ装置を運転する場合は間欠運転とするよりも連続運転とすることが、エネルギー効率向上の観点からは好ましい。
そこで、以上に説明した第１の実施の形態〜第６の実施の形態において、暖房運転中であって、且つ燃焼加熱手段２２にて加熱を行わない場合であっても、暖房運転中は暖房放熱体３０に暖房循環熱媒を循環させるために第１の暖房熱動弁Ｖ１を開口して第２の暖房熱動弁Ｖ２を閉鎖させる。
【００６３】
次に、暖房循環熱媒を循環させるポンプが上記の第１の暖房循環ポンプＰ１のみである第１〜第６の実施の形態に対して、暖房循環熱媒を循環させるポンプとして上記の第１の暖房循環ポンプＰ１に加えて第２の暖房循環ポンプＰ２（ヒートポンプ装置１０に設けられている）を備えている、第７〜第１２の実施の形態について説明する。
●［第７の実施の形態（図７）］
次に図７を用いて、給湯暖房システム１の第７の実施の形態の構成について説明する。
図７に示す第７の実施の形態は、図１に示す第１の実施の形態に対して、ヒートポンプ装置１０に第２の暖房循環ポンプＰ２（ヒートポンプ制御手段１１から制御される）が追加されている点が異なる。
このため、第１の実施の形態と同様、電気ヒートポンプのエネルギー効率をより向上させることができるとともに、適切に暖房循環熱媒を循環させることができる。
【００６４】
第１の実施の形態に対して、ヒートポンプ装置１０が暖房循環ポンプを有することで、暖房経路の自由度が向上し、第２の実施の形態（図２）及び第３の実施の形態（図３）とは異なるバイパス経路を有する第８の実施の形態（図８）及び第９の実施の形態（図９）を構成することができる。
運転状態設定手段４０から暖房運転が指示された場合は、燃焼制御手段２１、ヒートポンプ制御手段１１、給湯制御手段５１は、受信した入力情報に基づいて、第１の暖房熱動弁Ｖ１を開口して、第１の暖房循環ポンプＰ１または第２の暖房循環ポンプＰ２の少なくとも一方を駆動して暖房循環熱媒を循環させる。そして燃焼加熱手段２２と電気ヒートポンプ１２の少なくとも一方を用いて暖房循環熱媒を加熱し、更に給湯循環ポンプＰＫを駆動して給湯温水を循環させ、第１の給湯暖房熱交換器Ｎ１を用いて給湯温水を加熱する。
第７の実施の形態の構成では、暖房放熱体３０の暖房運転を行っている場合、給湯の利用の有無にかかわらず、電気ヒートポンプ１２のエネルギー効率をより向上させることができる。
【００６５】
●［第８の実施の形態（図８）］
次に図８を用いて、給湯暖房システム１の第８の実施の形態の構成について説明する。
図８に示す第８の実施の形態は、図７に示す第７の実施の形態に対して、太線で示す第３のバイパス暖房経路ＨＢ３、当該第３のバイパス暖房経路ＨＢ３と第２加熱後経路Ｈ１２との接続個所に設けられた経路切替弁ＶＡ（給湯制御手段５１から制御される三方弁）が追加されている点が異なる。
経路切替弁ＶＡは、第２加熱後経路Ｈ１２のいずれかの位置に配置され、第３のバイパス暖房経路ＨＢ３の一方の端部が接続されている。また第３のバイパス暖房経路ＨＢ３の他方の端部は、第１放熱後経路Ｈ３１ａのいずれかの位置に接続されている。そして経路切替弁ＶＡは、ヒートポンプ熱交換器１３の側から入力される暖房循環熱媒を、第２加熱後経路Ｈ１２における燃焼加熱手段２２の側または第３のバイパス暖房経路ＨＢ３の側、のいずれか一方に出力する。
【００６６】
運転状態設定手段４０から暖房運転が指示された場合は、第７の実施の形態と同様に、燃焼制御手段２１、ヒートポンプ制御手段１１、給湯制御手段５１は、受信した入力情報に基づいて、第１の暖房熱動弁Ｖ１を開口し、第２加熱後経路Ｈ１２においてヒートポンプ熱交換器１３から出力された暖房循環熱媒が熱交換器２３ｂ（燃焼加熱手段２２）に入力されるように経路切替弁ＶＡを設定（第３のバイパス暖房経路ＨＢ３の側に暖房循環熱媒を出力しない）して、第１の暖房循環ポンプＰ１または第２の暖房循環ポンプＰ２の少なくとも一方を駆動して暖房循環熱媒を循環させる。そして燃焼加熱手段２２と電気ヒートポンプ１２の少なくとも一方を用いて暖房循環熱媒を加熱し、更に給湯循環ポンプＰＫを駆動して給湯温水を循環させ、第１の給湯暖房熱交換器Ｎ１を用いて給湯温水を加熱する。
【００６７】
また、運転状態設定手段４０から暖房運転の指示がされていない場合、あるいは暖房運転中であったが暖房運転の停止が指示された場合、燃焼制御手段２１、ヒートポンプ制御手段１１、給湯制御手段５１は、第１の暖房熱動弁Ｖ１を閉鎖し、第２加熱後経路Ｈ１２においてヒートポンプ熱交換器１３から出力された暖房循環熱媒が第３のバイパス暖房経路ＨＢ３に入力されるように経路切替弁ＶＡを設定（熱交換器２３ｂ（燃焼加熱手段２２）の側に暖房循環熱媒を出力しない）し、第２の暖房循環ポンプＰ２を駆動して暖房循環熱媒を循環させる。そして電気ヒートポンプ１２を用いて暖房循環熱媒を加熱し、更に給湯循環ポンプＰＫを駆動して給湯温水を循環させ、第１の給湯暖房熱交換器Ｎ１を用いて給湯温水を加熱する。
これにより、第７の実施の形態に加えて、暖房運転を行っていない場合であっても、（燃焼熱源機２０と暖房放熱体３０をスキップして）電気ヒートポンプ１２を運転して給湯温水を加熱して貯湯タンクへ貯湯することができるため、給湯運転におけるエネルギー効率をより向上させることができる。
【００６８】
●［第９の実施の形態（図９）］
次に図９を用いて、給湯暖房システム１の第９の実施の形態の構成について説明する。
図９に示す第９の実施の形態は、図７に示す第７の実施の形態に対して、太線で示す第４のバイパス暖房経路ＨＢ４と、第４のバイパス暖房経路ＨＢ４のいずれかの位置に設けられた第３の暖房熱動弁Ｖ３（給湯制御手段５１から制御）が追加されている点が異なる。
なお、図８に示す第３のバイパス暖房経路ＨＢ３と経路切替弁ＶＡの両方が無い場合と、両方が有る場合とで、第４のバイパス暖房経路ＨＢ４の接続位置が異なる。
図８に示す第３のバイパス暖房経路ＨＢ３と経路切替弁ＶＡの両方が無い場合は、図９に示すように、第４のバイパス暖房経路ＨＢ４は、第２加熱後経路Ｈ１２のいずれかの位置と、第１加熱後経路Ｈ２３における第１の暖房熱動弁Ｖ１から暖房放熱体３０までの経路のいずれかの位置と、の間に接続されている。また第３の暖房熱動弁Ｖ３は、第４のバイパス暖房経路ＨＢ４のいずれかの位置に設けられて経路を閉鎖あるいは開口することが可能である。
図８に示す第３のバイパス暖房経路ＨＢ３と経路切替弁ＶＡの両方が有る場合は、図１２に示すように、第４のバイパス暖房経路ＨＢ４は、第２加熱後経路Ｈ１２における経路切替弁ＶＡから燃焼加熱手段２２までの経路のいずれかの位置と、第１加熱後経路Ｈ２３における第１の暖房熱動弁Ｖ１から暖房放熱体３０までの経路のいずれかの位置と、の間に接続されている。また第３の暖房熱動弁Ｖ３は、第４のバイパス暖房経路ＨＢ４のいずれかの位置に設けられて経路を閉鎖あるいは開口することが可能である。
【００６９】
運転状態設定手段４０から暖房運転が指示された場合、且つ燃焼熱源機２０で加熱する場合は、燃焼制御手段２１、ヒートポンプ制御手段１１、給湯制御手段５１は、受信した入力情報に基づいて、第１の暖房熱動弁Ｖ１を開口して第３の暖房熱動弁Ｖ３を閉鎖し、第１の暖房循環ポンプＰ１または第２の暖房循環ポンプＰ２の少なくとも一方を駆動して暖房循環熱媒を循環させる。そして燃焼加熱手段２２と電気ヒートポンプ１２の少なくとも一方を用いて暖房循環熱媒を加熱し、更に給湯循環ポンプＰＫを駆動して給湯温水を循環させ、第１の給湯暖房熱交換器Ｎ１を用いて給湯温水を加熱する。
【００７０】
また、運転状態設定手段４０から暖房運転の指示がされた場合、且つ燃焼熱源機２０による加熱を必要としない場合は、燃焼制御手段２１、ヒートポンプ制御手段１１、給湯制御手段５１は、第１の暖房熱動弁Ｖ１を閉鎖して第３の暖房熱動弁Ｖ３を開口し、第２の暖房循環ポンプＰ２を駆動して暖房循環熱媒を循環させる。そして電気ヒートポンプ１２を用いて暖房循環熱媒を加熱し、更に給湯循環ポンプＰＫを駆動して給湯温水を循環させ、第１の給湯暖房熱交換器Ｎ１を用いて給湯温水を加熱する。
これにより、第７の実施の形態に加えて、暖房運転を行っている場合であっても燃焼熱源機２０を必要としない場合は（燃焼熱源機をスキップして）、給湯の利用の有無にかかわらず、ヒートポンプ熱交換器１３に入力される暖房循環熱媒の温度をより低くすることができる。
【００７１】
●［第１０の実施の形態（図１０）］
次に図１０を用いて、給湯暖房システム１の第１０の実施の形態の構成について説明する。
図１０に示す第１０の実施の形態は、図７に示す第７の実施の形態に対して、ヒートポンプ装置１０から出力した暖房循環熱媒の熱で給湯温水を加熱する第２の給湯暖房熱交換器Ｎ２が、第２加熱後経路Ｈ１２のいずれかの位置に追加されている点が異なる。そして、給湯循環経路Ｋ２は、第１の給湯暖房熱交換器Ｎ１と第２の給湯暖房熱交換器Ｎ２を経由するように構成されている。
【００７２】
運転状態設定手段４０から暖房運転が指示された場合は、燃焼制御手段２１、ヒートポンプ制御手段１１、給湯制御手段５１は、受信した入力情報に基づいて、第１の暖房熱動弁Ｖ１を開口し、第１の暖房循環ポンプＰ１または第２の暖房循環ポンプＰ２の少なくとも一方を駆動して暖房循環熱媒を循環させる。そして燃焼加熱手段２２または電気ヒートポンプ１２の少なくとも一方を用いて暖房循環熱媒を加熱し、更に給湯循環ポンプＰＫを駆動して給湯温水を循環させ、第１の給湯暖房熱交換器Ｎ１と第２の給湯暖房熱交換器Ｎ２を用いて給湯温水を加熱する。
第１０の実施の形態では、第２の給湯暖房熱交換器Ｎ２にて、熱交換器２３ｂ（燃焼加熱手段２２）に入力される暖房循環熱媒の温度を下げることができるので、燃焼加熱手段２２のエネルギー効率をより向上させることができる。
【００７３】
●［第１１の実施の形態（図１１）］
次に図１１を用いて、給湯暖房システム１の第１１の実施の形態の構成について説明する。
図１１に示す第１１の実施の形態は、図７に示す第７の実施の形態に対して、貯湯タンク５２内の給湯温水を、燃焼加熱手段２２を経由させて供給する給湯経路Ｋ３のいずれかの位置に設けられた給湯温水混合手段６０と、第１の給水経路Ｋ１から供給される上水の少なくとも一部を給湯温水混合手段６０に供給することが可能な第２の給水経路Ｋ４と、給湯温水混合手段６０の混合制御手段６１と燃焼制御手段２１とが互いに通信可能となるように接続された第４の通信線Ｔ４と、が追加されている点が異なる。
なお、給湯温水混合手段６０は、給湯温水と上水とを混合して給湯温水の温度を下げる混合装置６２と、混合装置６２の混合割合を制御する混合制御手段６１とを備えている。
混合制御手段６１には、運転状態設定手段４０にて設定された給湯温度が、燃焼制御手段２１を経由して入力される。
【００７４】
この構成により、第５の実施の形態と同様に、貯湯タンク内の給湯温水の最高温度を６０［℃］程度とすることが可能であり、ヒートポンプ装置のエネルギー効率を向上させることができるとともに、貯湯タンクから供給される給湯温水と上水（冷水）とを適切に混合して燃焼加熱手段に入力する給湯温水の温度を適切に制御できる。また、暖房循環熱媒を、第１の暖房循環ポンプＰ１または第２の暖房循環ポンプＰ２の少なくとも一方を用いて適切に循環させることができる。
【００７５】
●［第１２の実施の形態（図１２）］
次に図１２を用いて、給湯暖房システム１の第１２の実施の形態の構成について説明する。
図１２に示す第１２の実施の形態は、第７の実施の形態〜第１１の実施の形態を全て織り込んだものであり、第７の実施の形態〜第１１の実施の形態にて説明したとおりの効果（エネルギー効率の向上）を有している。
【００７６】
また、第８の実施の形態、第９の実施の形態、第１２の実施の形態では、燃焼加熱手段２２を必要としない場合は、第２の暖房循環ポンプＰ２を使用して暖房循環熱媒を循環できるので、燃焼熱源機２０をスキップする経路を構築することができる（経路切替弁ＶＡ、第３の暖房熱動弁Ｖ３にて経路を変える）。
【００７７】
本発明の給湯暖房システム１は、本実施の形態で説明した外観、構成、処理等に限定されず、本発明の要旨を変更しない範囲で種々の変更、追加、削除が可能である。例えば燃焼熱源機２０の構成は、本実施の形態にて説明した燃焼熱源機２０に限定されるものではない。
また本実施の形態の説明では、暖房放熱体３０が床暖房の例を説明したが、暖房放熱体３０は床暖房に限定されるものではない。
また本実施の形態の説明では、暖房循環熱媒が温水の例を説明したが、暖房循環熱媒は温水に限定されるものではない。
また、運転状態設定手段４０の処理、燃焼制御手段２１の処理、ヒートポンプ制御手段１１の処理は、本実施の形態にて説明した処理に限定されるものではなく、種々の変更、追加、削除が可能である。
また、以上（≧）、以下（≦）、より大きい（＞）、未満（＜）等は、等号を含んでも含まなくてもよい。
また、本実施の形態の説明に用いた数値は一例であり、この数値に限定されるものではない。
また本実施の形態の説明では、燃焼熱源機２０を制御する燃焼制御手段２１、ヒートポンプ装置１０を制御するヒートポンプ制御手段１１、給湯装置５０を制御する給湯制御手段５１、の各制御手段を備えた例を説明したが、１つの制御手段にて燃焼熱源機２０とヒートポンプ装置１０と給湯装置５０とを制御するように構成してもよい。
また第１の給湯暖房熱交換器Ｎ１、第２の給湯暖房熱交換器Ｎ２において、暖房循環熱媒と給湯温水を、同方向に並行に流すよりも、対向する方向に流すほうがより好ましい。
【符号の説明】
【００７８】
１        給湯暖房システム
１０      ヒートポンプ装置
１１      ヒートポンプ制御手段
１２      電気ヒートポンプ
１３      ヒートポンプ熱交換器
２０      燃焼熱源機
２１      燃焼制御手段
２２      燃焼加熱手段
２３ａ、２３ｂ    熱交換器
３０      暖房放熱体
４０      運転状態設定手段
５０      給湯装置
５１      給湯制御手段
５２      貯湯タンク
６０      給湯温水混合手段
６１      混合制御手段
６２      混合装置
Ｈ１２    第２加熱後経路
Ｈ２３    第１加熱後経路
Ｈ３１ａ  第１放熱後経路
Ｈ３１ｂ  第２放熱後経路
ＨＢ１    第１のバイパス暖房経路
ＨＢ２    第２のバイパス暖房経路
ＨＢ３    第３のバイパス暖房経路
ＨＢ４    第４のバイパス暖房経路
Ｈｈ      ヒートポンプ循環熱媒配管
Ｋ１      第１の給水経路
Ｋ２      給湯循環経路
Ｋ３      給湯経路
Ｋ４      第２の給水経路
Ｎ１      第１の給湯暖房熱交換器
Ｎ２      第２の給湯暖房熱交換器
ＰＫ      給湯循環ポンプ
Ｔ１      第１の通信線
Ｔ２      第２の通信線
Ｔ３      第３の通信線
Ｔ４      第４の通信線
Ｖ１      第１の暖房熱動弁
Ｖ２      第２の暖房熱動弁
Ｖ３      第３の暖房熱動弁
ＶＡ      経路切替弁
【図１】
0005547664.tif 000002
【図２】
0005547664.tif 000003
【図３】
0005547664.tif 000004
【図４】
0005547664.tif 000005
【図５】
0005547664.tif 000006
【図６】
0005547664.tif 000007
【図７】
0005547664.tif 000008
【図８】
0005547664.tif 000009
【図９】
0005547664.tif 000010
【図１０】
0005547664.tif 000011
【図１１】
0005547664.tif 000012
【図１２】
0005547664.tif 000013